(57)【要約】【課題】部品製造業者の部品の納入作業を円滑にする。【解決手段】部品調達部門が注文納入情報を情報入力手段２を使用して入力すると、注文納入情報が通信、記憶手段１に記憶されるとともに、通信、記憶手段３、６に送信される。つぎに、部品製造業者は注文納入情報に基づいて自動車部品の作製を開始する。そして、納入すべき自動車部品の作製が完了したとき、部品製造業者は自動車部品を荷作りするとともに、部品製造業者は納品チケット作成手段４により納品チケット記号に対応したバーコードが付された納品チケットを作成する。つぎに、部品製造業者は梱包部品および納品チケットを自動車製造業者の組立工場に搬送する。つぎに、梱包部品および納品チケットを受け取った組立工場はバーコード読取手段７によりバーコードを読み取る。すると、画像表示手段８に納品チケット情報が表示される。【選択図】        図１
2004302779.tif 000002
【特許請求の範囲】
【請求項１】
部品製造業者が製品製造業者の部品調達部門からの注文納入情報に基づいて部品を製品製造業者の部品受入部門に納入する作業を管理する部品納入管理方法において、上記部品調達部門が納品チケット記号を含む注文納入情報を上記部品製造業者および上記部品受入部門に送信し、上記部品製造業者が上記注文納入情報に基づいて上記納品チケット記号が付された納品チケットを作成し、上記部品受入部門が上記納品チケットの納品チケット記号および上記注文納入情報に基づいて上記部品製造業者が納入した部品の情報である納品チケット情報を表示することを特徴とする部品納入管理方法。
【請求項２】
部品製造業者が製品製造業者の部品調達部門からの注文納入情報に基づいて部品を製品製造業者の部品受入部門に納入する作業を管理する部品納入管理方法において、上記製品製造業者が第１の通信、記憶手段により通信回路網を介して納品チケット記号を含む注文納入情報を第２の通信、記憶手段および第３の通信、記憶手段に送信し、上記部品製造業者が上記第２の通信、記憶手段に記憶された上記注文納入情報に基づいて上記納品チケット記号が付された納品チケットを作成し、上記部品受入部門が上記納品チケットの納品チケット記号および上記第３の通信、記憶手段に記憶された上記注文納入情報に基づいて上記部品製造業者が納入した部品の情報である納品チケット情報を表示することを特徴とする部品納入管理方法。
【請求項３】
上記注文納入情報に納入日時が含まれ、上記部品調達部門が上記第１の通信、記憶手段により上記通信回路網を介して上記注文納入情報を上記第２、第３の通信、記憶手段に送信したのち、上記部品調達部門が上記第１の通信、記憶手段により上記通信回路網を介して変更された上記納入日時を上記第２、第３の通信、記憶手段に送信することを特徴とする請求項２に記載の部品納入管理方法。
【請求項４】
上記注文納入情報に納入日時が含まれ、上記部品調達部門が上記第１の通信、記憶手段により上記通信回路網を介して上記注文納入情報を上記第２、第３の通信、記憶手段に送信したのち、上記部品調達部門が上記第１の通信、記憶手段により上記通信回路網を介して変更された上記納入日時および上記納品チケット記号を上記第２、第３の通信、記憶手段に送信することを特徴とする請求項２に記載の部品納入管理方法。
【請求項５】
上記注文納入情報に納入日時、発行記号および納入すべき部品の個数が含まれ、上記部品調達部門が上記第１の通信、記憶手段により上記通信回路網を介して上記注文納入情報を上記第２、第３の通信、記憶手段に送信したのち、上記部品調達部門が上記第１の通信、記憶手段により上記通信回路網を介して変更された上記納入日時、上記納品チケット記号、上記発行記号および上記個数を上記第２、第３の通信、記憶手段に送信することを特徴とする請求項２に記載の部品納入管理方法。
【請求項６】
第１の通信、記憶手段に納品チケット記号を含む注文納入情報を入力するための情報入力装置が設けられ、第２の通信、記憶手段に記憶された上記注文納入情報に基づいて上記納品チケット記号が付された納品チケットを作成する納品チケット作成手段が設けられ、上記納品チケット記号を読み取る納品チケット記号読取手段が設けられ、第３の通信、記憶手段に記憶された上記注文納入情報および上記納品チケット記号に基づいて上記部品製造業者が納入した部品の情報である納品チケット情報を表示する表示手段が設けられ、上記第１〜第３の通信、記憶手段が通信回路網を介して情報を送受信することができることを特徴とする部品納入管理装置。
【請求項７】
上記納品チケット記号読取手段がバーコード読取手段であることを特徴とする請求項６に記載の部品納入管理装置。
【発明の詳細な説明】
【０００１】
【発明の属する技術分野】
本発明は自動車製造業者に部品製造業者が自動車部品を納入する場合などにおける部品納入管理方法および装置に関するものである。
【０００２】
【従来の技術】
従来、自動車製造業者に部品製造業者が自動車部品を納入する場合には、自動車製造業者が部品製造業者に納入すべき自動車部品の納入場所、納入日時等の注文納入情報を送り、部品製造業者は注文納入情報に基づいて自動車部品を作製し、部品製造業者が自動車部品を自動車製造業者に納入するときには、実際に部品製造業者が自動車製造業者に納入する自動車部品の情報である実際納入情報を部品製造業者が作成して、自動車部品とともに実際納入情報を自動車製造業者に送り、自動車製造業者は実際納入情報に基づいて納入された自動車部品の検収を行なっている。
【０００３】
【発明が解決しようとする課題】
しかしながら、実際納入情報を部品製造業者が作成するときには、注文納入情報と実際納入情報とが同様であるときにも、部品製造業者は実際納入情報を作成しなければならないから、部品製造業者は自動車部品の納入作業を円滑に行なうことができない。
【０００４】
本発明は部品の部品製造業者が部品の納入作業を円滑に行なうことができる部品納入管理方法および装置を提供することを目的とする。
【０００５】
【課題を解決するための手段】
この目的を達成するため、本発明においては、製品製造業者の部品調達部門が注文納入情報を部品製造業者および上記製品製造業者の部品受入部門に送信し、上記部品製造業者が注文納入情報に基づいて納品チケット記号が付された納品チケットを作成し、上記部品受入部門が上記納品チケットの納品チケット記号および上記注文納入情報に基づいて納品チケット情報を表示する。
【０００６】
【発明の効果】
本発明に係る部品納入管理方法、装置においては、部品製造業者が部品納入情報を作成する必要がないから、部品製造業者は部品の納入作業を円滑に行なうことができる。
【０００７】
【発明の実施の形態】
図１は本発明に係る部品納入管理方法を実施するための装置、すなわち本発明に係る部品納入管理装置を示す機能ブロック図である。図に示すように、第１の通信、記憶手段１に納品チケット記号、納入日時、発行記号、個数を含む注文納入情報を入力するための情報入力手段２が設けられ、通信、記憶手段１および情報入力手段２は自動車製造業者の部品調達部門が有している。また、第２の通信、記憶手段３に記憶された注文納入情報に基づいて納品チケット記号に対応したバーコードが付された納品チケットを作成する納品チケット作成手段４が設けられ、通信、記憶手段３に記憶された注文納入情報に基づいて荷姿ラベル記号に対応したバーコードが付された荷姿ラベルを作成する荷姿ラベル作成手段５が設けられ、通信、記憶手段３、納品チケット作成手段４、荷姿ラベル作成手段５は部品製造業者が有している。また、納品チケット、荷姿ラベルに付されたバーコードを読み取るバーコード読取手段７が設けられ、第３の通信、記憶手段６に記憶された注文納入情報および納品チケット記号、荷姿ラベル記号に基づいて部品製造業者が納入した部品の情報である納品チケット情報、製品製造業者により荷作りされた梱包部品の情報である荷姿ラベル情報を表示する画像表示手段８が設けられ、通信、記憶手段６、バーコード読取手段７および画像表示手段８は自動車製造業者の部品受入部門である組立工場が有している。そして、通信、記憶手段１、３、６は双方向性を有する通信回路網９たとえばインターネットを介して情報を送受信することができる。
【０００８】
つぎに、図２により本発明に係る部品納入管理方法について説明する。まず、部品調達部門が図３に示すような注文納入情報を情報入力手段２を使用して入力すると、注文納入情報が通信、記憶手段１に記憶されるとともに、注文納入情報が通信回路網９を介して「ＴＣ」に対応する部品製造業者が有している通信、記憶手段３および「Ｔ」に対応する組立工場が有している通信、記憶手段６に送信され、注文納入情報が通信、記憶手段３、６に記憶される。そして、注文納入情報には、自動車部品を納入すべき組立工場（納品工場）、自動車部品の種類を示す部品記号、自動車部品の作製を依頼する部品製造業者（部品メーカ）、自動車部品の納入を希望する納入日時、部品毎の部品注文に付された発行記号、納品チケット記号、納入すべき自動車部品の個数が含まれ、納入日時が同一である部品注文には同一の納品チケット記号が付されている。つぎに、部品製造業者は通信、記憶手段３に記憶された注文納入情報に基づいて自動車部品の作製を開始する。そして、納入すべき自動車部品の作製が完了したとき、部品製造業者は自動車部品を荷作りするとともに、部品製造業者は納品チケット作成手段４により納品チケットを作成し、また荷姿ラベル作成手段５により荷姿ラベルを作成し、荷作りされた梱包部品に荷姿ラベルが付着される。この場合、納品チケットにはたとえば納品チケット記号「Ｔ７０」に対応したバーコードが付される。また、部品調達部門と部品製造業者とにより各自動車部品について何個の自動車部品を一体に梱包するかが取り決められており、たとえば部品記号「２３０１」の自動車部品の場合には５個の自動車部品を一体に梱包することになっていれば、部品記号「２３０１」の自動車部品の５枚の荷姿ラベルには荷姿ラベル記号「Ｔ７０−１」〜「Ｔ７０−５」に対応したバーコードが付され、５枚の荷姿ラベルは部品記号「２３０１」の自動車部品の５個の梱包部品にそれぞれ付着される。そして、部品製造業者は梱包部品および納品チケットを自動車製造業者の組立工場に搬送する。つぎに、梱包部品および納品チケットを受け取った組立工場はバーコード読取手段７により納品チケット、荷姿ラベルに付されたバーコードを読み取る。すると、納品チケットの納品チケット記号「Ｔ７０」、荷姿ラベルの荷姿ラベル記号「Ｔ７０−１」〜「Ｔ７０−５」および通信、記憶手段６に記憶された注文納入情報に基づいて、画像表示手段８に図４に示すような納品チケット情報、図５に示すような荷姿ラベル情報が表示される。そして、組立工場はこの納品チケット情報、荷姿ラベル情報に基づいて部品製造業者によって納入された自動車部品の検収を行なう。
【０００９】
つぎに、部品製造業者が注文納入情報に基づいて自動車部品の作製を開始したが、注文納入情報の納入日時に間に合わないことが判明した場合について図６により説明する。まず、注文納入情報の発行記号「Ｄ６１０」〜「Ｄ６４０」の部品注文の納入日時である「０８．０３．２０」すなわち８月３日２０時に間に合わないことが判明し、部品調達部門と部品製造業者との協議の結果、発行記号「Ｄ６１０」〜「Ｄ６４０」の部品注文の納入日時を８月６日１８時に変更するときには、部品調達部門が図７に示すような発行記号「Ｄ６１０」〜「Ｄ６４０」の部品注文の納入日時を「０８．０６．１８」に変更した注文納入情報を情報入力手段２を使用して入力すると、注文納入情報が通信、記憶手段１に記憶されるとともに、注文納入情報が通信回路網９を介して「ＴＣ」に対応する部品製造業者が有している通信、記憶手段３および「Ｔ」に対応する組立工場が有している通信、記憶手段６に送信される。以下、上述と同様に納品チケット、荷姿ラベルが作成され、納品チケット、荷姿ラベルに付されたバーコードが読み取られ、組立工場は納品チケット情報、荷姿ラベル情報に基づいて部品製造業者によって納入された自動車部品の検収を行なう。
【００１０】
また、注文納入情報の発行記号「Ｄ６２０」の部品注文の納入日時である「０８．０３．２０」に間に合わないことが判明し、部品調達部門と部品製造業者との協議の結果、発行記号「Ｄ６２０」の部品注文の納入日時を８月６日１８時に変更するときには、部品調達部門が図８に示すような発行記号「Ｄ６２０」の部品注文の納入日時を「０８．０６．１８」に変更し、かつ納品チケット記号を「Ｔ７２」に変更した注文納入情報を情報入力手段２を使用して入力すると、注文納入情報が通信、記憶手段１に記憶されるとともに、注文納入情報が通信回路網９を介して「ＴＣ」に対応する部品製造業者が有している通信、記憶手段３および「Ｔ」に対応する組立工場が有している通信、記憶手段６に送信される。以下、上述と同様に納品チケット、荷姿ラベルが作成され、納品チケット、荷姿ラベルに付されたバーコードが読み取られ、組立工場は納品チケット情報、荷姿ラベル情報に基づいて部品製造業者によって納入された自動車部品の検収を行なう。この場合、画像表示手段８には図９に示すような納品チケット情報が表示される。
【００１１】
さらに、注文納入情報の発行記号「Ｄ６２０」の部品注文のうちの６個が納入日時である「０８．０３．２０」に間に合わないことが判明し、部品調達部門と部品製造業者との協議の結果、発行記号「Ｄ６２０」の部品注文のうちの６個の納入日時を８月６日１８時に変更するときには、部品調達部門が図１０に示すような発行記号「Ｄ６２０」の部品注文を発行記号「Ｄ６２１」の部品注文と発行記号「Ｄ６２２」の部品注文とに分け、発行記号「Ｄ６２１」の部品注文の納入日時を「０８．０３．２０」とし、かつ個数を「６」とし、また発行記号「Ｄ６２２」の部品注文の納入日時を「０８．０６．１８」とし、納品チケット記号を「Ｔ７２」とし、かつ個数を「６」とした注文納入情報を情報入力手段２を使用して入力すると、注文納入情報が通信、記憶手段１に記憶されるとともに、注文納入情報が通信回路網９を介して「ＴＣ」に対応する部品製造業者が有している通信、記憶手段３および「Ｔ」に対応する組立工場が有している通信、記憶手段６に送信される。以下、上述と同様に納品チケット、荷姿ラベルが作成され、納品チケット、荷姿ラベルに付されたバーコードが読み取られ、組立工場は納品チケット情報、荷姿ラベル情報に基づいて部品製造業者によって納入された自動車部品の検収を行なう。この場合、画像表示手段８には図１１に示すような納品チケット情報が表示される。
【００１２】
この部品納入管理方法、装置においては、部品製造業者が自動車製造業者の組立工場に自動車部品を納入する場合に、自動車製造業者の部品調達部門から送信された注文納入情報に基づいて納品チケット、荷姿ラベルを作成すれば、自動車製造業者の組立工場は納品チケット情報、荷姿ラベル情報に基づいて部品製造業者によって納入された自動車部品の検収を行なうことができるから、部品製造業者は部品納入情報を作成する必要がないので、自動車部品の納入作業を円滑に行なうことができる。また、部品調達部門から送信された注文納入情報の納入日時に間に合わないことが判明し、部品調達部門と部品製造業者との協議の結果納入日時を変更したときにも、部品調達部門から新たな注文納入情報が送信されるから、部品製造業者が自動車製造業者の組立工場に自動車部品を納入する場合に、自動車製造業者の部品調達部門から送信された新たな注文納入情報に基づいて納品チケット、荷姿ラベルを作成すれば、自動車製造業者の組立工場は納品チケット情報、荷姿ラベル情報に基づいて部品製造業者によって納入された自動車部品の検収を行なうことができるので、部品製造業者は部品納入情報を作成する必要がないため、自動車部品の納入作業を円滑に行なうことができる。
【００１３】
なお、上述実施の形態においては、製品製造業者が自動車製造業者の場合について説明したが、他の製品製造業者の場合にも本発明を適用できることが明らかである。また、上述実施の形態においては、表示手段として画像表示手段８を用いたが、表示手段として納品チケット情報、荷姿ラベル情報を紙に印刷する紙面表示手段等を用いてもよい。また、上述実施の形態においては、納品チケット、荷姿ラベルに納品チケット記号、荷姿ラベル記号に対応したバーコードを付し、納品チケット記号読取手段としバーコード読取手段７を用いたが、納品チケット、荷姿ラベルに納品チケット記号、荷姿ラベル記号そのもの（文字）を付してもよく、この場合には納品チケット記号読取手段として文字認識手段を用いる。また、上述実施の形態においては、注文納入情報に納品チケット記号、納入日時、発行記号、個数等が含まれる場合について説明したが、注文納入情報にさらに組立工場の部品の納入場所、製品製造業者の工場等を含めてもよい。また、上述実施の形態においては、納入日時等が変更された注文納入情報に変更前の納入日時等が含まれないようにしたが、納入日時等が変更された注文納入情報に変更前の納入日時等および変更後の納入日時等が含まれるようにしてもよい。また、上述実施の形態においては、自動車製造業者が１社の場合について説明したが、製品製造業社が複数の場合にも本発明を適用することができ、この場合部品製造業社は複数の製品製造業社に部品を納入するときに同様の作業を行なえばよいから、部品製造業者は部品の納入作業を極めて円滑に行なうことができる。また、上述実施の形態においては、納入日時等が変更された場合に、納入日時等が変更された注文納入情報を通信、記憶手段１から通信、記憶手段３、６に送信したが、変更された納入日時等のみを第１の通信、記憶手段から第２、第３の通信、記憶手段に送信してもよい。
【図面の簡単な説明】
【図１】本発明に係る部品納入管理装置を示す機能ブロック図である。
【図２】本発明に係る部品納入管理方法を説明するための作業流れ図である。
【図３】注文納入情報を示す図である。
【図４】納品チケット情報を示す図である。
【図５】荷姿ラベル情報を示す図である。
【図６】本発明に係る部品納入管理方法を説明するための他の作業流れ図である。
【図７】変更後の注文納入情報を示す図である。
【図８】他の変更後の注文納入情報を示す図である。
【図９】他の納品チケット情報を示す図である。
【図１０】他の変更後の注文納入情報を示す図である。
【図１１】他の納品チケット情報を示す図である。
【符号の説明】
１…第１の通信、記憶手段
２…情報入力手段
３…第２の通信、記憶手段
４…納品チケット作成手段
６…第３の通信、記憶手段
７…バーコード読取手段
８…画像表示手段
９…通信回路網
【図１】
2004302779.tif 000003
【図２】
2004302779.tif 000004
【図３】
2004302779.tif 000005
【図４】
2004302779.tif 000006
【図５】
2004302779.tif 000007
【図６】
2004302779.tif 000008
【図７】
2004302779.tif 000009
【図８】
2004302779.tif 000010
【図９】
2004302779.tif 000011
【図１０】
2004302779.tif 000012
【図１１】
2004302779.tif 000013